(57)【要約】【課題】新しい構造によって攻撃力や防御力の変更が行えるコマ玩具を提供すること。【解決手段】胴部４０の外周に攻撃用の張出し部が形成されたコマ玩具において、  前記胴部４０には、前記張出し部が複数設けられ、複数の前記張出し部４２ｆ，４３ｂの少なくとも１つの張出し部は、胴部本体に対して軸線を中心に回転可能に構成されるとともに、前記複数の張出し部の位置関係が異なる複数の回転位置で前記胴部本体に対して固定可能に構成されている。【選択図】図５
2018134184.tif 000002
【特許請求の範囲】
【請求項１】
胴部の外周に攻撃用の張出し部が形成されたコマ玩具において、
前記胴部には、前記張出し部が複数設けられ、複数の前記張出し部の少なくとも１つの張出し部は、胴部本体に対して軸線を中心に回転可能に構成されるとともに、前記複数の張出し部の位置関係が異なる複数の回転位置で前記胴部本体に対して固定可能に構成されていることを特徴とするコマ玩具。
【請求項２】
前記胴部は、前記胴部本体に対して前記軸心を中心に回転可能な回転体を備え、前記少なくとも１つの張出し部は前記回転体に形成されていることを特徴とする請求項１に記載のコマ玩具。
【請求項３】
前記張出し部として、互いに衝突面の形状が異なる第１の張出し部及び第２の張出し部を有し、前記第１の張出し部は前記胴体本体に形成され、前記第２の張出し部は前記回転体に形成されていることを特徴とする請求項２に記載のコマ玩具。
【請求項４】
前記第２の張出し部は、前記第１の張出し部に隣接した第１の回転位置及び第２の回転位置で前記胴部本体に選択的に固定されるように構成され、前記第１の回転位置と前記第２の回転位置とでは前記第１の張出し部と前記第２の張出し部とが並びを変えることを特徴とする請求項３に記載のコマ玩具。
【請求項５】
前記第１の張出し部及び前記第２の張出し部のそれぞれは同数且つ複数前記胴部の円周方向に等間隔に形成されていることを特徴とする請求項４に記載のコマ玩具。
【請求項６】
前記第１の張出し部及び第２の張出し部の中の一方の張出し部の衝突面を前記コマ玩具の回転方向前端に向かって下降する傾斜面によって形成するとともに、他方の張出し部の衝突面を回転方向前端に向かって上昇する傾斜面によって形成したことを特徴とする請求項４又は請求項５に記載のコマ玩具。
【発明の詳細な説明】
【技術分野】
【０００１】
本発明はコマ玩具に関するものである。
【背景技術】
【０００２】
コマ玩具を使用したバトルゲームとして、コマ玩具を互いに衝突させ、その衝撃力によって相手方のコマ玩具の回転を止めたり、相手方のコマ玩具を弾き飛ばしたり、相手方のコマ玩具を分解させたりするものがある。
【０００３】
このようなコマ玩具では、攻撃力や防御力を変更させるための工夫がされている。例えば、攻撃力や防御力を変更できる形状の張出し部を有するアタッチメントを玩具本体に取り付けたりしている（例えば、特許文献１）。
【先行技術文献】
【特許文献】
【０００４】
【特許文献１】実用新案登録第３０８３４４３号公報
【発明の概要】
【発明が解決しようとする課題】
【０００５】
ところが、特許文献１に開示されたアタッチメントの場合、当該アタッチメントを裏返して玩具本体に取り付けることによって、表と裏とで攻撃力や防御力を変化させるようにしている。しかしながら、このコマ玩具においては、攻撃力や防御力を変化させる場合に、アタッチメントを一旦玩具本体から取り外し、アタッチメントの表裏を逆にして再度玩具本体に取り付ける必要がある。
【０００６】
本発明は、かかる点に鑑みなされたもので、新しい構造によって攻撃力や防御力の変更が行えるコマ玩具を提供することを目的とする。
【課題を解決するための手段】
【０００７】
第１の手段は、
胴部の外周に攻撃用の張出し部が形成されたコマ玩具において、
前記胴部には、前記張出し部が複数設けられ、複数の前記張出し部の少なくとも１つの張出し部は、胴部本体に対して軸線を中心に回転可能に構成されるとともに、前記複数の張出し部の位置関係が異なる複数の回転位置で前記胴部本体に対して固定可能に構成されていることを特徴とする。
【０００８】
第２の手段は、第１の手段において、前記胴部は、前記胴部本体に対して前記軸心を中心に回転可能な回転体を備え、前記少なくとも１つの張出し部は前記回転体に形成されていることを特徴とする。
【０００９】
第３の手段は、第２の手段において、前記張出し部として、互いに衝突面の形状が異なる第１の張出し部及び第２の張出し部を有し、前記第１の張出し部は前記胴体本体に形成され、前記第２の張出し部は前記回転体に形成されていることを特徴とする。
【００１０】
第４の手段は、第３の手段において、前記第２の張出し部は、前記第１の張出し部に隣接した第１の回転位置及び第２の回転位置で前記胴部本体に選択的に固定されるように構成され、前記第１の回転位置と前記第２の回転位置とでは前記第１の張出し部と前記第２の張出し部とが並びを変えることを特徴とする。
【００１１】
第５の手段は、第４の手段おいて、前記第１の張出し部及び前記第２の張出し部のそれぞれは同数且つ複数前記胴部の円周方向に等間隔に形成されていることを特徴とする。
【００１２】
第６の手段は、第４の手段又は第５の手段において、前記第１の張出し部及び第２の張出し部の中の一方の張出し部の衝突面を前記コマ玩具の回転方向前端に向かって下降する傾斜面によって形成するとともに、他方の張出し部の衝突面を回転方向前端に向かって上昇する傾斜面によって形成したことを特徴とする。
【発明の効果】
【００１３】
第１の手段によれば、張出し部を単に回転させることで張出し部の位置関係を変化させることができる。
【００１４】
第２の手段によれば、回転体を回転させるだけで、張出し部の位置関係を変化させることができる。
【００１５】
第３の手段によれば、回転体を回転させて第１の張出し部の回転位置を変更させるだけで、張出し部の位置関係を変化させることができる。
【００１６】
第４の手段及び第５の手段によれば、隣接する第１の張出し部及び第２の張出し部の並びを変化させることによって攻撃機能に変化を生じさせることができる。
【００１７】
第６の手段によれば、相手のコマ玩具を下から攻撃したり、上から攻撃したりするなど、攻撃機能を変化させることができる。
【図面の簡単な説明】
【００１８】
【図１】実施形態に係るコマ玩具とコマ発射装置とを示した斜視図である。
【図２】本実施形態のコマ玩具の遊び方を説明するための斜視図である。
【図３】本実施形態のコマ玩具の半断面斜視図である。
【図４】本実施形態のコマ玩具の分解斜視図で、半断面で示している。
【図５】本実施形態のコマ玩具の胴部の斜視図である。
【図６】本実施形態のコマ玩具の上板を下方から見た状態の斜視図である。
【図７】本実施形態のコマ玩具の下板を上方から見た状態の斜視図である。
【図８】本実施形態のコマ玩具のリングを上方から見た状態の斜視図である。
【図９】本実施形態のコマ玩具の固定手段の係止部材の斜視図である。
【図１０】本実施形態のコマ玩具の固定出段を説明するため図であり、（Ａ）は第１の回転位置での平面図、（Ｂ）は第２の回転体での平面図である。
【図１１】本実施形態のコマ玩具の作用を説明するための図である。
【発明を実施するための形態】
【００１９】
以下、本発明のコマ玩具を図面に示した実施形態に基づいて説明する。
【００２０】
図１は、本実施形態のコマ玩具１及びコマ発射玩具６０を備えた玩具セットを示している。
このうちコマ玩具１は、いわゆるバトルゲームに使用することが可能なコマ玩具である。このコマ玩具１は、例えば、互いの衝突による衝撃力で相手方のコマ玩具１を図２に示すように分解させて遊ぶようなバトルゲームに使用される。
このコマ玩具１は、図３及び図４に示すように、軸部１０、フライホイール３０及び胴部４０によって構成されている。なお、図３及び図４ではコマ玩具１を半断面にして示しているが、図示しない半部は、軸心Ｘに対して軸対称となっている。なお、本明細書において上下、左右、前後は図４に示す方向を言うものとする。
【００２１】
図４に示すように、軸部１０は、下端部に回転軸１１、上下方向中間部に鍔１２、上端部に円筒体１３を備えている。
このうち鍔１２と円筒体１３とは一体に形成されている。円筒体１３の軸心には柱体１４が設けられている。この柱体１４の上端部には前後２箇所のそれぞれに半径方向外方に張り出す爪１７が形成されている。この柱体１４は、軸下部１０ａに固定して設けられている。軸下部１０ａは、鍔１２側から回転軸１１の先端側に向けて段階的に縮径し、全体として略逆円錐状に形成されている。この軸下部１０ａは、図示はしないがねじ等によって鍔１２に固定されている。
鍔１２及び円筒体１３には、前後２箇所のそれぞれに孔１５が鍔１２及び円筒体１３に亘って形成されている。また、円筒体１３の外周面には、左右２箇所のそれぞれに突出部１６が形成されている。各突出部１６の外面は鍔１２の外周面と面一となっている。
【００２２】
また、軸部１０は円筒状の押圧部材１８を備えている。この押圧部材１８は、円筒体１３の内側で柱体１４を取り囲むようにして設置されている。押圧部材１８の下端部外周には、前後２箇所のそれぞれに半径方向外方に延びる脚部１８ａが形成されている。
【００２３】
このように構成された押圧部材１８は、図４に示すように、各脚部１８ａが上記孔１５から露出するように組み付けられる。この孔１５は脚部１８ａの上下方向の移動を許容するが、孔１５の上縁で上方への移動を規制している。また、押圧部材１８はスプリング１９によって上方に付勢され、常態では、押圧部材１８の上端面は円筒体１３の上端と略同一高さ位置にある。
なお、押圧部材１８の上面には、左右２箇所のそれぞれに半径方向に延びる凸条（突起）２０が形成されている。
【００２４】
フライホイール３０は環状に形成されている。フライホイール３０の底面内周側には軸部１０の鍔１２を下方から収容可能な環状段部３０ａが形成されている。このフライホイール３０の上面には左右の２箇所のそれぞれに上方に向けて張り出す突出部３１が形成されている。各突出部３１の下側部分には、軸部１０の突出部１６を下方から収容可能な凹部３２が形成されている。また、フライホイール３０の上面には、各突出部３１の直ぐ外側に上方に延びる舌片３３が形成されている。舌片３３は突出部３１よりも上方に突出している。
【００２５】
胴部４０は、図５に示すように、上板４１、下板４２及びリング４３を備えている。
図６は、このうち上板４１を下方から見た斜視図である。この上板４１の中央には円形の孔４１ａが形成されている。また、上板４１の下側には上記孔４１ａの径と同じ大きさの内径を有する内側の環状壁４１ｂが形成されている。環状壁４１ｂの下端部内面には軸心を挟んで対峙する２箇所のそれぞれに爪４１ｃが半径方向内方に張り出して形成されている。さらに、各爪４１ｃの下面の端には、軸部１０の上記凸条２０に噛合する起伏部４１ｄが形成されている。
また、環状壁４１ｂの内面において、上記爪４１ｃよりも上方位置には、左右２箇所のそれぞれに突起４１ｅが形成されている。この突起４１ｅは図４に示す円筒状の飾り部品４４を取り付けるためのものである。すなわち、実施形態では、自他のコマ玩具１を識別するための飾り部品４４が用意されている。この飾り部品４４として、互いに上面の色や形状が異なるものが複数用意されている。この飾り部品４４は円柱形で外周面に上記突起４１ｅが嵌まり込む溝４４ａが形成されている。そして、溝４４ａの入り口と突起４１ｅとを上下方向で合致させた後、飾り部品４４を所定方向に回転させて溝４４ａの縁と突起４１ｅとを係合させることで、飾り部品４４が上板４１に取り付けられる。
また、上板４１の上壁には、フライホイール３０の舌片３３を下方から挿入可能な弧状スリット４１ｆが、左右の２箇所のそれぞれに形成されている。各スリット４１ｆの幅は、円周方向の一端側が広く、他端側が狭くなっている。
さらに、上板４１の下側には、軸心を挟んで互いに対峙する２箇所のそれぞれに円筒状のボス４１ｇが形成されている。ボス４１ｇの孔の内面には雌ねじ（図示せず）が形成されている。
なお、上板４１の最外周には下方に垂れ下がる外側の環状壁４１ｈが形成されている。
【００２６】
図７は下板４２を上方から見た斜視図である。この下板４２には、上板４１の環状壁４１ｂが上方から挿入される孔４２ａと、上板４１の各スリット４１ｆの下に位置する孤状スリット４２ｂと、上板４１の各ボス４１ｇが上方から挿入される孔４２ｃとが形成されている。
また、下板４２の上面外周側には円筒状の起立壁４２ｄが形成されている。起立壁４２ｄの下端部外面には、半径方向外方に張り出す鍔部４２ｅが形成されている。そして、鍔部４２ｅには前後２箇所のそれぞれに半径方向外方に張り出し起立する張出し部４２ｆが形成されている。この張出し部４２ｆは半径方向外方から見て略三角形状となっている。この張出し部４２ｆは第１の衝突部を構成している。そして、この張出し部４２ｆの回転方向前側の上面は衝突面４２０ｆを構成している。この衝突面４２０ｆはコマ玩具１の回転方向前端に向かって下降する傾斜面となっている。なお、起立壁４２ｄの外周には、リング４３を第１の回転位置及び第２の回転位置で位置決めするための複数の凸部４２ｉが形成されている。
さらに、この下板４２には凹部４２ｇが形成されている。この凹部４２ｇは、下板４２の中央の孔４２ａから鍔部４２ｅに開口している。凹部４２ｇには図４及び図９に示す係止部材４５が配設される。この係止部材４５は凹部４２ｇの延在方向に沿って下板４２の半径方向に往復動作可能に構成されている。係止部材４５の基部の下側には凹部４５ａが形成されている。この凹部４５ａが上記凹部４２ｇの床板（図示せず）と係合することで、係止部材４５のストロークが調整されている。係止部材４５の外端側には係止部４５ｂが形成されている。そして、この係止部４５ｂは、軸部１０に胴部４０を取り付けた際に、円筒体１３の外周に当接して鍔部４２ｅの上に突出した状態を保持する。
【００２７】
図８はリング４３を上方から見た斜視図である。リング４３の本体は筒状に形成されている。リング４３の下端部内周には、半径方向内方に向けて張り出す環状の鍔部４３ａが形成されている。この環状の鍔部４３ａは、上板４１と下板４２とが組み付けられる際に、下板４２の鍔部４２ｅの上に着座し、上板４１の環状壁４１ｈと下板４２の鍔部４２ｅとの間に挟み込まれる。
また、リング４３には軸心を挟んで互いに対向する２箇所のそれぞれに半径方向外方に張り出し起立する張出し部４３ｂが形成されている。この張出し部４３ｂは半径方向外方から見て略逆三角形状となっている。この張出し部４３ｂは第２の衝突部を構成している。そして、この張出し部４３ｂの回転方向前側の下面は衝突面４３０ｂを構成している。この衝突面４３０ｂはコマ玩具１の回転方向前端に向かって上昇する傾斜面となっている。
さらに、鍔部４３ａの内周面には凹部４３ｃが形成されている。そして、リング４３が下板４２に対して回転した際に、この凹部４３ｃが複数の凸部４２ｉのうちの一部と嵌合することで、リング４３が位置決めされる。実施形態では、凸部４２ｉは複数あり、リング４３は第１の回転位置及び第２の回転位置のいずれかで位置決めされる。
第１の回転位置は、リング４３が下板４２に対してコマ玩具１の回転方向反対の方向に回転し、張出し部４２ｆの衝突面４２０ｆに張出し部４３ｂの斜面が当接する回転位置であり（図１１（Ａ））、第２の回転位置は、リング４３が下板４２に対してコマ玩具１の回転方向に回転し、張出し部４２ｆの衝突面４２０ｆが張出し部４３ｂの斜面に当接する回転位置である（図１１（Ｂ））。第１の回転位置では、張出し部４２ｆの衝突面４２０ｆが張出し部４３ｂによって被覆されるので、張出し部４３ｂの衝突面４３０ｂだけが新たな衝突面となる。また、第２の回転位置では、張出し部４３ｂの衝突面４３０ｂが張出し部４２ｆによって被覆されるので、張出し部４２ｆの衝突面４２０ｆだけが新たな衝突面となる。
【００２８】
次に、上板４１、下板４２及びリング４３の組付け構造について説明すれば、とともに、下板４２の孔４２ａに上板４１の環状壁４１ｂを挿入し、下板４２の孔４２ｃに上板４１のボス４１ｇを挿入し、上板４１の環状壁４１ｈと下板４２の鍔部４２ｅとでリング４３の鍔部４３ａを挟み込んだ状態で、下板４２の下側からワッシャ付きの雄ねじ（図示せず）をボス４１ｇの雌ねじに螺合させることによって、上板４１、下板４２及びリング４３が組み付けられる。そして、リング４３に対して上板４１及び下板４２は胴部本体を構成する。
【００２９】
次に、リング４３の固定手段５０について説明する。
この固定手段５０は上記係止部材４５を備えている。一方、リング４３には、上記２つの回転位置に対応して凹部５０ａ,５０ｂが形成されている。
そして、この固定手段５０によって、図１０（Ａ）及び図１０（Ｂ）に示すように、凹部５０ａ,５０ｂのいずれかにリング４３は第１の回転位置と第２の回転位置とに固定される。
この固定手段５０は複数設けられていてもよい。
【００３０】
次に、コマ玩具１の組立方法を説明する。
なお、ここでは、軸部１０と胴部４０それぞれの組立は、図４に示したように、既に終了しているものとする。
まず、軸部１０の突出部１６を下方からフライホイール３０の凹部３２に合致させるようにして、軸部１０とフライホイール３０を嵌合状態に組み付ける。次に、この組付け体を胴部４０に下方から近付ける。この際、上記組付け体のフライホイール３０の舌片３３をスリット４２ｂを通して胴部４０の弧状スリット４１ｆの所定の端に合致させる。この状態は、軸部１０の爪１７と胴部４０の爪４１ｃとが上下方向で重なっていない状態である。この状態が結合解除状態である。その後、上記組付け体の軸部１０を胴部４０側に押圧する。すると、まず、フライホイール３０が胴部４０の下面に押し当てられる。さらに、軸部１０内のスプリング１９が縮み押圧部材１８が下がり、軸部１０の爪１７が胴部４０の爪４１ｃよりも上方に相対的に押し上げられる。そして、軸部１０をフライホイール３０と一体的に胴部４０に対して舌片３３が上記所定の端とは反対側の端まで移動するまで回転させる。すると、軸部１０の爪１７と胴部４０の爪４１ｃとが上下で重なった状態となる。そして、軸部１０から手を離すと、軸部１０内のスプリング１９の付勢力によって、軸部１０の爪１７の下面と胴部４０の爪４１ｃの上面とが当接される。この状態、すなわち軸部１０の爪１７の下面と胴部４０の爪４１ｃの上面とが当接された状態が結合状態である。これにより、軸部１０とフライホイール３０及び胴部４０とが結合され、コマ玩具１が組み立てられる。
【００３１】
続いて、このコマ玩具１を使用しての遊び方の一例を説明する。
図１は、コマ玩具１を回転駆動させるランチャーの一例を示した斜視図である。
この遊び方の一例では、コマ玩具１を回転させて、相手方のコマ玩具１とバトルを行う。
この場合、コマ玩具１の回転力のチャージは、ランチャー６０によって行われる。このランチャー６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６２が回転されるように構成されている。このコマホルダー６２の回転は、下方に突設されたフォーク６３によってコマ玩具１に伝達され、コマ玩具１を回転させる。この場合、フォーク６３は胴部４０の弧状スリット４１ｆに差し込まれる。そして、ランチャー６０のハンドル６１を引き切ると、円板ひいてはコマホルダー６２の回転が停止する一方で、コマ玩具１は慣性力によって尚も回転するので、フォーク６３の傾斜面６３ａに倣ってコマ玩具１がコマホルダー６２から外れる。
【００３２】
このようにして発射されたコマ玩具１は所定のフィールドで所定方向に回転させられ、相手方のコマ玩具１に衝突すると、衝突による衝撃力によって、胴部４０には、軸部１０及びフライホイール３０の回転方向とは反対の方向の力が作用し、それによって、胴部４０が軸部１０及びフライホイール３０の回転方向に対して反対の方向に相対的に回転する。
すると、胴部４０下面の起伏部４１ｄと凸条２０とは、胴部４０に対して軸部１０が相対回転するに伴って、噛み合い位置を変更する。そして、係止解除位置に達すると、胴部４０の爪４１ｃが軸部１０の爪１７から外れるため、軸部１０内のスプリング１９の付勢力によって胴部４０が軸部１０から離反する。そして、コマ玩具１は、図２に示したように分解される。
【００３３】
このコマ玩具１では、図１０（Ａ）に示したように、隣接状態で張出し部４３ｂが張出し部４２ｆよりもコマ玩具１の回転方向前側に位置したときには衝突面４３０ｂだけが衝突面として機能し、相手方のコマ玩具１と衝突したときには、衝突面４３０ｂによって相手方のコマ玩具１を下方に打ち下ろす。
【００３４】
また、図１０（Ｂ）に示したように、張出し部４２ｆが張出し部４３ｂよりもコマ玩具１の回転方向前側に位置したときには衝突面４２０ｆだけが衝突面として機能し、相手方のコマ玩具１と衝突したときには、衝突面４２０ｆによって相手方のコマ玩具１を下から突き上げる。
【００３５】
以上、本発明の実施形態について説明したが、本発明は、かかる実施形態に限定されるものではなく、その要旨を逸脱しない範囲で、種々変形が可能であることは言うまでもない。
例えば、張出し部４３ｂの衝突面を前記コマ玩具１の回転方向前端に向かって下降する傾斜面４３０ｂによって形成するとともに、他方の張出し部４２ｆの衝突面４２０ｆを回転方向前端に向かって上昇する傾斜面によって形成しているが、互いに衝突面の形状が異なっていればよい。
また、互いに異なる２つの衝突面４２０ｆ，４３０ｂを設け、衝突面４３０ｂだけが軸心を中心に回転するように構成されていたが、３つ以上の衝突面を有するものであってもよい。また、これらの場合、それぞれが軸心を中心に回転するように構成されていてもよい。
さらに、衝突面４３０ｂは、軸心を中心として回転体の一例であるリング４３に形成されていたが、衝突面４３０ｂが形成された個々の張出し部４３が円周方向に移動可能に胴部本体に設けられたものであってもよい。
また、上記実施形態では、一方向に回転するコマ玩具１について述べたが、両方向に回転するコマ玩具１にも適用できる。この場合、本実施形態の張出し部４２ｆ，４３ｂのように回転方向の前後の形状が対称に形成すれば、一方向の回転時と他方向の回転の時とで同じような攻撃機能が得られる。勿論、張出し部４２ｆ，４３ｂにおいて回転方向の前後の形状を異ならせ、一方向の回転時と他方向の回転の時とで異なる攻撃機能が得られるようにしてもよい。
また、上記実施形態では、張出し部４２ｆ，４３ｂが互いに隣接する位置まで張出し部４３ｂを移動させたが、張出し部４２ｆと張出し部４３ｂの円周方向の位置関係を変えて攻撃機能等に変化を与えるものであれば、張出し部４２ｆと張出し部４３ｂとが離れた位置で張出し部４３ｂを固定してもよい。この場合、特に限定はされないが、特定の張出し部を相対的に移動させることによって他の張出し部の衝突面の機能を発揮させないようにすることが好ましい。
また、固定側張出し部と可動側張出し部の形状や衝突面の形状を反対にしてもよいし、固定側張出し部と可動側張出し部の形状や衝突面の形状も上記形状に限定されない。
【符号の説明】
【００３６】
１     コマ玩具
１０   軸部
１１   回転軸
１３   円筒体
３０   フライホイール
４０   胴部
４１   上板
４２   下板
４２ｆ  張出し部
４３   リング（回転体）
４３ｂ  張出し部
４５   係止部材
５０   固定手段
４２０ｆ      衝突面
４３０ｂ      衝突面
【図１】
2018134184.tif 000003
【図２】
2018134184.tif 000004
【図３】
2018134184.tif 000005
【図４】
2018134184.tif 000006
【図５】
2018134184.tif 000007
【図６】
2018134184.tif 000008
【図７】
2018134184.tif 000009
【図８】
2018134184.tif 000010
【図９】
2018134184.tif 000011
【図１０】
2018134184.tif 000012
【図１１】
2018134184.tif 000013
【手続補正書】
【提出日】平成29年10月10日(2017.10.10)
【手続補正１】
【補正対象書類名】明細書
【補正対象項目名】０００８
【補正方法】変更
【補正の内容】
【０００８】
第２の手段は、第１の手段において、前記胴部は、前記胴部本体に対して前記軸線を中心に回転可能な回転体を備え、前記少なくとも１つの張出し部は前記回転体に形成されていることを特徴とする。
【手続補正２】
【補正対象書類名】明細書
【補正対象項目名】０００９
【補正方法】変更
【補正の内容】
【０００９】
第３の手段は、第２の手段において、前記張出し部として、互いに衝突面の形状が異なる第１の張出し部及び第２の張出し部を有し、前記第１の張出し部は前記胴部本体に形成され、前記第２の張出し部は前記回転体に形成されていることを特徴とする。
【手続補正３】
【補正対象書類名】特許請求の範囲
【補正対象項目名】全文
【補正方法】変更
【補正の内容】
【特許請求の範囲】
【請求項１】
胴部の外周に攻撃用の張出し部が形成されたコマ玩具において、
前記胴部には、前記張出し部が複数設けられ、複数の前記張出し部の少なくとも１つの張出し部は、胴部本体に対して軸線を中心に回転可能に構成されるとともに、前記複数の張出し部の位置関係が異なる複数の回転位置で前記胴部本体に対して固定可能に構成されていることを特徴とするコマ玩具。
【請求項２】
前記胴部は、前記胴部本体に対して前記軸線を中心に回転可能な回転体を備え、前記少なくとも１つの張出し部は前記回転体に形成されていることを特徴とする請求項１に記載のコマ玩具。
【請求項３】
前記張出し部として、互いに衝突面の形状が異なる第１の張出し部及び第２の張出し部を有し、前記第１の張出し部は前記胴部本体に形成され、前記第２の張出し部は前記回転体に形成されていることを特徴とする請求項２に記載のコマ玩具。
【請求項４】
前記第２の張出し部は、前記第１の張出し部に隣接した第１の回転位置及び第２の回転位置で前記胴部本体に選択的に固定されるように構成され、前記第１の回転位置と前記第２の回転位置とでは前記第１の張出し部と前記第２の張出し部とが並びを変えることを特徴とする請求項３に記載のコマ玩具。
【請求項５】
前記第１の張出し部及び前記第２の張出し部のそれぞれは同数且つ複数前記胴部の円周方向に等間隔に形成されていることを特徴とする請求項４に記載のコマ玩具。
【請求項６】
前記第１の張出し部及び第２の張出し部の中の一方の張出し部の衝突面を前記コマ玩具の回転方向前端に向かって下降する傾斜面によって形成するとともに、他方の張出し部の衝突面を回転方向前端に向かって上昇する傾斜面によって形成したことを特徴とする請求項４又は請求項５に記載のコマ玩具。